(57)【要約】【課題】本発明は人の顔を撮影するのに好適な撮影装置に関し、被撮影者の顔に艶を付与することを課題とする。【解決手段】被撮影者の顔Ａを撮影する撮影装置であって、被撮影者の顔Ａに拡散光を照射する第１の光源１３と、被撮影者の顔Ａの特定位置（目元、唇）にスポット光を照射する第２の光源１４（目元用ライト２５、唇用ライト２６）と、第１及び第２の光源１３，１４からスポット光をを照射された被撮影者の顔Ａを撮影する撮影カメラ１６と、第１及び第２の光源１３，１４が配設されるハウジング１２とを有する。【選択図】  図１
2012055476.tif 000002
【特許請求の範囲】
【請求項１】
被撮影者の顔を撮影する撮影装置であって、
前記被撮影者の顔に拡散光を照射する第１の光源と、
前記被撮影者の顔の特定位置にスポット光を照射する第２の光源と、
前記第１の光源からの拡散光及び前記第２の光源からの前記スポット光を照射された前記被撮影者の顔を撮影する撮影カメラと、
前記被撮影者の顔の位置決めを行う位置決め部と、前記第１の光源と、前記第２の光源とが配設されるハウジングとを有することを特徴とする撮影装置。
【請求項２】
前記第１の光源の光量と前記第２の光源の光量のいずれか又はそれぞれ両方を調整する光量調整手段を設けたことを特徴とする請求項１記載の撮影装置。
【請求項３】
前記第２の光源は、前記位置決め部に位置した前記被撮影者の顔に対して前記スポット光の照射位置を可変しうる位置調整機構に搭載されていることを特徴とする請求項１又は２記載の撮影装置。
【請求項４】
前記第２の光源は、前記位置決め部に位置決めされた前記被撮影者の顔に対し、水平方向より上側から前記スポット光を照射することを特徴とする請求項１乃至３のいずれか一項に記載の撮影装置。
【請求項５】
前記第１の光源は、ＬＥＤであることを特徴とする請求項１乃至４のいずれか一項に記載の撮影装置。
【請求項６】
前記第１の光源は２台の発光装置を有し、
該２台の発光装置を前記第２の光源の両側に配置したことを特徴とする請求項１乃至５のいずれか一項に記載の撮影装置。
【請求項７】
前記ハウジングに、外光の侵入を防止する外光侵入防止手段を設けたことを特徴とする請求項１乃至６のいずれか一項に記載の撮影装置。
【請求項８】
前記位置調整機構は、前記ハウジング内に設けられると共に前記撮影カメラの光軸に対して傾斜した角度を有する傾斜板と、該傾斜板に配設されると共に前記第２の光源がスライド可能に取り付けられるスライドレールとを有することを特徴とする請求項３乃至７のいずれか一項に記載の撮影装置。
【発明の詳細な説明】
【技術分野】
【０００１】
本発明は撮影装置に係り、特に人の顔を撮影するのに好適な撮影装置に関する。
【背景技術】
【０００２】
一般に、顔に施術する化粧品の評価を行う方法のひとつとして、化粧品を施術した後に被施術者（被撮影者）の顔を撮影装置を用いて撮影し、その撮像画像に基づき評価を実施することが行われている。
【０００３】
この撮像処理を行う際、従来では肌の色の評価が主に行われていた。この場合、照明により被施術者の顔に影や艶、てかりが発生するのは望ましくないため、顔前面に対して均一な光が照射されるよう構成されていた。具体的には、特許文献１に開示されているように、光源から発射された光を拡散部材で拡散し、これにより均一化された光が被施術者の顔に照射されるよう構成されていた。
【先行技術文献】
【特許文献】
【０００４】
【特許文献１】特開２０１０−０９７１２６号公報
【発明の概要】
【発明が解決しようとする課題】
【０００５】
ところで，近年顔に施術するメーキャップ化粧品の評価は多様化しており、メーキャップ後の肌の色ばかりでなく、肌や唇の艶、パール感といった質感についても評価を行う要望が高まっている。従来のように肌の色に重要視した評価の場合には、拡散光により顔に影が発生することを抑制することで対応することができた。
【０００６】
しかしながら、肌や唇の艶についても評価しようした場合、拡散光の照射では肌や唇に艶を出すことができなかった。また、自然光を用いて撮影した場合、或いは通常の撮影用の光源（ストロボ装置）といった撮影機器を用いて撮影した場合、条件を等しくした光の照射が困難で、同一条件での撮影が困難となり、撮影された画像を単純に比較して検討することができないという問題点があった。
【０００７】
本発明は上記の点に鑑みてなされたものであり、被撮影者の顔に艶、パール感といった質感を付与した画像をえるための撮影装置にあって比較のための撮影条件の高い再現性を実現する環境を提供することを目的とする。
【課題を解決するための手段】
【０００８】
上記の課題は、第１の観点からは、
被撮影者の顔を撮影する撮影装置であって、
前記被撮影者の顔に拡散光を照射する第１の光源と、
前記被撮影者の顔の特定位置にスポット光を照射する第２の光源と、
前記第１の光源からの拡散光及び前記第２の光源からの前記スポット光を照射された前記被撮影者の顔を撮影する撮影カメラと、
前記被撮影者の顔の位置決めを行う位置決め部と、前記第１の光源と、前記第２の光源とが配設されるハウジングとを有することを特徴とする撮影装置により解決することができる。
【０００９】
また上記発明において、前記第１の光源の光量と前記第２の光源の光量のいずれか又はそれぞれ両方を調整する光量調整手段を設けることが望ましい。
【００１０】
また上記発明において、前記第２の光源は、前記位置決め部に位置した前記被撮影者の顔に対して前記スポット光の照射位置を可変しうる位置調整機構に搭載されていることが望ましい。
【００１１】
また上記発明において、前記第２の光源は、前記位置決め部に位置決めされた前記被撮影者の顔に対し、水平方向より上側から前記スポット光を照射する構成であることが望ましい。
【００１２】
また上記発明において、前記第１の光源は、ＬＥＤであることが望ましい。
【００１３】
また上記発明において、前記第１の光源は２台の発光装置を有し、該２台の発光装置を前記第２の光源の両側に配置した構成とすることが望ましい。
【００１４】
また上記発明において、前記ハウジングに、外光の侵入を防止する外光侵入防止手段を設けることが望ましい。
【００１５】
また上記発明において、前記位置調整機構は、前記ハウジング内に設けられると共に前記撮影カメラの光軸に対して傾斜した角度を有する傾斜板と、該傾斜板に配設されると共に前記第２の光源がスライド可能に取り付けられるスライドレールとを有することが望ましい。
【発明の効果】
【００１６】
開示の撮影装置によれば、被撮影者の顔の特定位置にスポット光を照射する第２の光源を有しているため、スポット光が照射された位置において被撮影者の顔に光の反射が生じ、よってこれを艶として撮像カメラで撮像することが可能となる。
【図面の簡単な説明】
【００１７】
【図１】図１は、本発明の一実施形態である撮影装置の内部構成を示す正面図である。
【図２】図２は、本発明の一実施形態である撮影装置の内部構成を示す平面図である。
【図３】図３は、本発明の一実施形態である撮影装置の左側面図である。
【図４】図４は、本発明の一実施形態である撮影装置の回路構成図である。
【発明を実施するための形態】
【００１８】
次に、本発明の実施の形態について図面と共に説明する。
【００１９】
図１乃至図３は、本発明の一実施形態である撮影装置１０を示している。撮影装置１０はメーキャップ化粧品が施術された被撮影者の顔（図中、矢印Ａで示す）を撮影するための撮影装置であり、特に被撮影者の顔Ａに艶がでるように撮影することを可能としたものである。この撮影装置１０は、大略するとハウジング１２、第１の光源１３、第２の光源１４、位置調整機構１５、撮影カメラ１６、及び位置決め機構１７等を有した構成とされている。
【００２０】
ハウジング１２は、基台１１の上部に配設されている。基台１１は、底板１８に４本の支柱１９が立設されており、各支柱１９の上部にベース板２０が配設された構成とされている。また、底板１８の下面にはローラ２１が設けられており、よって撮影装置１０は移動可能な構成とされている。また、基台１１を構成する各基台１１には高さ調節機構が設けられており、よってベース板２０は底板１８に対して高さが調節可能な構成とされている。
【００２１】
ハウジング１２は、ベース板２０の上部に配設されている。ハウジング１２は略直方体形状を有した筐体であり、第１の光源１３，第２の光源１４，及び位置調整機構１５はこのハウジング１２内に配設されている。また、ハウジング１２の図中矢印Ｘ１方向側の面は開口されており、この開口部２３から被撮影者が顔Ａをハウジング１２内に入れられる構成とされている。このハウジング１２は、外部の光が侵入しないよう構成されている。また、被撮影者の顔Ａを顎台３９に載置した状態で、被撮影者の背面には図示しないカーテン（外光侵入防止手段）で覆われる構成とされており、これによっても外部の光（外光）がハウジング１２内に侵入しないよう構成されている。
【００２２】
第１の光源１３は、被撮影者の顔Ａに拡散光を照射する光源である。この第１の光源１３は、顎台３９に乗せた状態の被撮影者の顔Ａに対して拡散光を照射する一対の発光装置３０により構成されている。この一対の発光装置３０は、撮影カメラ１６の光軸（図中、矢印Ｌで示す一点鎖線）に対して対象となるよう、かつ光軸Ｌに対して所定の角度（例えば約３０°）を有するよう構成されている。
【００２３】
この一対の発光装置３０は同一構成とされており、それぞれＬＥＤ基板３１と光拡散板３３を有した構成とされている。ＬＥＤ基板３１には多数のＬＥＤが配設されており、このＬＥＤは図４に示されるように光量調整装置４２に接続されている。
【００２４】
また、光拡散板３３は、ＬＥＤ基板３１に配設されたＬＥＤで発光された光を拡散する機能を有するものである。この光拡散板３３は、例えば透明樹脂内に乳白色の光拡散物質を分散することで拡散特性を持たせた構成とされている。
【００２５】
上記構成とされた発光装置３０は、後述する第２の光源１４に比べて広い面積を有しており、ハウジング１２の側面の略全領域を占めている。尚、一対の発光装置３０の間位置には、後述する撮影カメラ１６がハウジング１２内に侵入するための間隙部３４が形成されている。
【００２６】
第２の光源１４は、被撮影者の顔Ａの特定位置にスポット光を照射する光源である。この第２の光源１４は、ハウジング１２の幅方向（図中矢印Ｙ１，Ｙ２方向）に対する略中央位置に配設されている。よって、前記した２台の発光装置３０は、この第２の光源１４の両側に配置された構成とされている。
【００２７】
本実施形態では、上記の特定位置として目元、唇、及び目の中を設定している。これは、目元及び唇は、メーキャップ化粧品を塗布した際にその艶が特に評価される部位であるからである。また、特定位置として目の中を設定したのは、被撮影者の顔Ａを撮影した際に目の輝きがポイントとなり、目の中にライトのように光る白い輝きを持たせるためである（いわゆる、キャッチライト）。
【００２８】
このように本実施形態では、被撮影者の顔Ａの目元、唇、及び目の中を特定位置としているため、第２の光源１４として目元用ライト２５，唇用ライト２６，及びキャッチライト２７の３つのライトを設けた構成としている。この各ライト２５，２６，２７はスポットライトであり、照射の方向に指向性のあるライトである。
【００２９】
目元用ライト２５は、被撮影者が顔Ａを顎台３９に乗せることによりハウジング１２内で位置決めを行った際、被撮影者の目元にスポット光を照射するよう設定されている。同様に、唇用ライト２６は被撮影者の唇にスポット光を照射するよう設定されおり、キャッチライト２７は被撮影者の目にキャッチライト光を照射するよう設定されている。
【００３０】
この各ライト２５，２６，２７は、位置調整機構１５によりスポット光の照射位置を調整できる構成とされている。位置調整機構１５は、撮影カメラ１６の光軸Ｌに対して傾斜した角度を有した傾斜板３５と、この傾斜板３５に配設されると共に各ライト２５，２６，２７がスライド可能に取り付けられるスライドレール３８とを有している。よってライト２５，２６，２７は、スライドレール３６に沿って図中矢印Ｚ１，Ｚ２方向にスライド可能な構成とされている。
【００３１】
この位置調整機構１５を設けることにより、被撮影者の顔Ａの大きさや形等に個人差があっても、スライドレール３６に沿ってライト２５，２６，２７を図中矢印Ｚ１，Ｚ２方向にスライドすることにより、当該被撮影者の顔形状に対応させることができ、目元，唇、及び目に対してスポット光を照射することが可能となる。
【００３２】
この際、本実施形態では各ライト２５，２６，２７が最下部（図中矢印Ｚ２方向の移動限度位置）まで移動した状態であっても、各ライト２５，２６，２７は被撮影者の顔Ａを上方からスポット光を照射する構成としている。即ち、第２の光源となる各ライト２５，２６，２７は、顎台３９上に位置決めされた被撮影者の顔Ａに対し、水平方向より上側からスポット光を照射するよう構成されている。
【００３３】
これは次の理由による。即ち、通常の自然光（太陽光及び蛍光灯等の屋内灯）は、一般に化粧を施術した被施術者に対して上方から照射される。よって、被施術者（被撮影者）の顔Ａに施術されたメーキャップ化粧品による「艶」を評価しようとした場合、通常の自然光に近い状態でスポット光を照射することが望ましい。そこで本実施形態では、被撮影者の顔Ａに対して水平方向より上側からスポット光を照射することにより、撮影装置１０を用いたメーキャップ化粧品の艶評価の精度を高めている。
【００３４】
尚、本実施形態では上記の目元，唇、及び目の３箇所を特定位置に設定しているが、撮影装置１０において設定される特定位置はこれに限定されるものではなく、「艶」の評価を行いたい他の部位を特定位置に設定することも可能である。例えば、髪の艶の評価を行いたい場合には被撮影者の髪の位置を特定位置とし、また被撮影者の額を艶の評価を行いたい場合には被撮影者の額の位置を特定位置とすることも可能である。
【００３５】
撮影カメラ１６は、第１の光源１３からの拡散光及び第２の光源１４からのスポッと光が照射された被撮影者の顔Ａの顔を撮影する。撮影カメラ１６の種類は特に特定されるものではなく、種々のカメラを用いることができる。
【００３６】
この撮影カメラ１６は、スライド板２２のＸ２方向端部に取り付けられている。スライド板２２は、ベース板２０に対してＸ１，Ｘ２方向にスライド可能な構成とされている。よって、スライド板２２がＸ１方向に移動することにより撮影カメラ１６は間隙部３４からハウジング１２内に進入し、被撮影者の顔Ａを近接撮影することができる。逆に、スライド板２２がＸ２方向に移動することにより撮影カメラ１６はハウジング１２から離間し、被撮影者の顔Ａを離間した位置から撮影することができる。
【００３７】
位置決め機構１７は、顔載置台３９と共にハウジング１２に対する被撮影者の顔Ａの位置決めを行うものである。この位置決め機構１７及び顔載置台３９により、被撮影者の顔Ａの中心位置を撮影カメラ１６の光軸Ｌに一致するよう位置決めすることができる。
【００３８】
スライドフレーム３８はハウジング１２に対してＸ１，Ｘ２方向及びＹ１，Ｙ２方向に移動調整が可能な構成とされている。また、顎台３９はハウジング１２に対してＺ１，Ｚ２方向に移動調整が可能な構成とされている。このように、顎台３９はハウジング１２に対してＸ１，Ｘ２方向、Ｙ１，Ｙ２方向、及びＺ１，Ｚ２方向に移動調整可能な構成とされているため、被撮影者の顔Ａの中心位置を撮影カメラ１６の光軸Ｌに一致させることが可能となる。
【００３９】
また、ハウジング１２の天板部で、顎台３９の略上方位置にはダウンライト４０が配設されている。このダウンライト４０は、被撮影者の顔Ａの凹凸を明確に撮影したい場合に点灯するライトである。
【００４０】
上記のように本実施形態に係る撮影装置１０は、ハウジング１２内に第１の光源１３となるＬＥＤ３２、第２の光源１４となる目元用ライト２５，唇用ライト２６，キャッチライト２７、及び顔の凹凸を明確にするためのダウンライト４０が設けられている。この各光源２５，２６，２７，３２，４０は、図４に示すように光量調整装置４２に接続されている。
【００４１】
また、光量調整装置４２には各光源２５，２６，２７，３２，４０を駆動するための電源装置４４が接続されている。更に、光量調整装置４２には、各光源２５，２６，２７，３２，４０の駆動制御を行う制御・記憶装置４３が接続されている。この制御・記憶装置４３は，光量調整装置４２に対して各光源２５，２６，２７，３２，４０の光量を制御する光量制御信号を送信する。また、制御・記憶装置４３は撮影カメラ１６にも接続されている。
【００４２】
光量調整装置４２は、撮影時に撮影カメラ１６から送信されるシンクロ信号、及び制御・記憶装置４３から供給される光量制御信号に基づき、各光源２５，２６，２７，３２，４０の光量を調整する。よって、本実施形態に係る撮影装置１０では、被撮影者の顔Ａに対して種々の態様の照明を行うことができる。
【００４３】
例えば、第２の光源１４となる目元用ライト２５及び唇用ライト２６の光量を他の光源に対して多くなるよう設定することにより、メーキャップ化粧品を施術した被撮影者の顔Ａの「艶」の撮影を確実に行うができる。逆に、ＬＥＤ３２の光量を他の光源に対して多くなるよう設定することにより、メーキャップ化粧品を施術した被撮影者の顔Ａの「色」を確実に撮影することが可能となる。
【００４４】
このように、本実施形態に係る撮影装置１０によれば、従来照明として使用されていた拡散光による照明ばかりでなく、目元用ライト２５及び唇用ライト２６から反射を生じさせるスポット光を被撮影者の顔Ａに対して照射することが可能であるため、被撮影者の顔Ａに発生している「艶」を確実に撮影することが可能となる。よって、この撮影画像から、メーキャップ化粧品の評価を精度よく行うことが可能となる。
【００４５】
また、入力装置４３で設定された各光源２５，２６，２７，３２，４０の光量は、光量調整装置４２に接続された記憶装置４４に記憶される。よって、複数の被撮影者に対して同一の照明条件で撮影を行いたい場合、或いは異なる日に同一照明条件で撮影を行いたい場合等にも、容易に対応することができる。
【００４６】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【００４７】
例えば、本実施形態では第１の光源１３を一対（２台）の発光装置３０により構成した例を示したが、第１の光源１３を一台の発光装置３０で構成することも可能である。
【符号の説明】
【００４８】
１０  撮影装置
１１  基台
１２  ハウジング
１３  第１の光源
１４  第２の光源
１５  位置調整機構
１６  撮影カメラ
１７  位置決め機構１７
１８  底板
１９  支柱
２０  ベース板
２１  ローラ
２２  スライド板
２５  目元用ライト
２６  唇用ライト
２７  キャッチライト
３０  発光装置
３１  基板
３２  ＬＥＤ
３３  光拡散板
３５  傾斜板
３６  スライドレール
３８  スライドフレーム
３９  顔載置台
４０  ダウンライト
４２  光量調整装置
４３  入力装置
【図１】
2012055476.tif 000003
【図２】
2012055476.tif 000004
【図３】
2012055476.tif 000005
【図４】
2012055476.tif 000006